(57)【特許請求の範囲】
【請求項１】
書籍販売取次店において行う機械読み取りコードを有するスリップと主制御手段及びこれに制御される端末制御手段を用いた書籍の販売管理方法であって、前記主制御手段は、機械読み取り入力した発注データで指定された書籍の在庫の有無を判別するとともに発注データを前記端末制御手段に送り、前記主制御手段から発注データを受けた前記端末制御手段は、バーコードリーダで機械的に読み取った前記書籍に表示された商品コードに対応する発注データを検索し、前記端末制御手段と連動するプリンタで、この検索した発注データに基づき、裏面に再剥離、再接着可能な粘着層を設けたスリップの表面の機械読み取りコード記入部には機械読み取り用の商品コードや発注元情報を印字し、次いで、前記端末制御手段と連動するラベル貼付装置で、この印字したスリップを裏面の粘着層により前記書籍の所定位置に貼付し、続いて、前記端末制御手段で、バーコードリーダで読み取った前記書籍の商品コードとスリップの商品コードとを照合して一致すると、この商品コードに基づいて前記書籍を発注元別に仕分けすることを特徴とする機械読み取り用コードを有するスリップを用いた書籍の販売管理方法。
【発明の詳細な説明】
【０００１】
【発明の属する技術分野】
本発明は、書籍販売取次店で書籍小売り店（以下書店という）からの書籍の追加注文を受けて、発注元の書店に指定された書籍を発送する際の書籍販売管理方法に関し、特に、機械読み取り用コードを有し、ラベル状に形成して書籍に貼付するスリップを用いて行う書籍販売管理方法に関する。
【０００２】
【従来の技術】
従来の書籍販売取次店における一般的な書籍販売管理方法は、まず、発注元の書店から郵送されてきた、短冊状の紙片の一面側に、書名、著者名、出版社名、価格等の書籍に関する各種情報が記入されるとともに、出版国、出版社、書名、チェック数字を１０桁の数字で表す国際標準規格のＩＳＢＮ番号、分類コード、価格コードからなる商品コードが記入されたスリップに基づいて、発注データをコンピュータに入力して、同様の情報を表示したスリップを発行する。
【０００３】
次に、発行したスリップに基づいて在庫の有無を人的に確認し、在庫が無い場合には出版元から取り寄せたうえ、前記スリップを二つ折り状態にして、対象となる書籍の適当なページをまたぐようにして挟み込んだ後、書籍を発送する書店別に仕分けする一方、発注データに基づいて別途配送票を発行し、出荷している。
【０００４】
【発明が解決しようとする課題】
このように、従来はスリップを書籍の適当なページ間に差し込んでいるので、書籍にスリップを差し込んだ後は、スリップに表示された情報を機械的に読み取ることができず、必要な情報はスリップを書籍から外して確認するとともに、新たなスリップや配送票の発行は、別途データを入力して行わなければならず、煩雑であるとともに誤入力も避けることができなかった。本発明は、この不都合を解消した機械読み取り用コードを有するスリップを用いた書籍の販売管理方法を提供することを目的とする。
【０００５】
【課題を解決するための手段】
この目的を達成するために本発明の請求項１に記載した機械読み取り用コードを有するスリップを用いた書籍の販売管理方法は、書籍販売取次店において行う機械読み取りコードを有するスリップと主制御手段及びこれに制御される端末制御手段を用いた書籍の販売管理方法であって、前記主制御手段は、機械読み取り入力した発注データで指定された書籍の在庫の有無を判別するとともに発注データを前記端末制御手段に送り、前記主制御手段から発注データを受けた前記端末制御手段は、バーコードリーダで機械的に読み取った前記書籍に表示された商品コードに対応する発注データを検索し、前記端末制御手段と連動するプリンタで、この検索した発注データに基づき、裏面に再剥離、再接着可能な粘着層を設けたスリップの表面の機械読み取りコード記入部には機械読み取り用の商品コードや発注元情報を印字し、次いで、前記端末制御手段と連動するラベル貼付装置で、この印字したスリップを裏面の粘着層により前記書籍の所定位置に貼付し、続いて、前記端末制御手段で、バーコードリーダで読み取った前記書籍の商品コードとスリップの商品コードとを照合して一致すると、この商品コードに基づいて前記書籍を発注元別に仕分けするものである。
【０００６】
【発明の実施形態】
以下、本発明の好適な実施形態を添付図面に基づいて説明する。ここにおいて、図１は本発明において使用するロール状に巻回された連続状のスリップを示す概略的な斜視図、図２は同じく印字後の単位スリップを示す概略的な平面図、図３は図２のＡ−Ａ線断面図、図４は本発明に係る書籍販売取次店での販売管理を行う装置の連係関係を示す概略的な制御系統図、図５は書籍販売取次店でのスリップを使った販売管理方法を示すフロー図である。
【０００７】
まず、本発明において使用するスリップについて図１〜図３に基づいて説明する。図１に示すように、書籍販売管理用のスリップ１は連続状態にあり、単位スリップ１ａ毎に区画する切り用ミシン目２を設けている。図３で理解できるように、スリップ１はシート状の連続する基材３を備え、この基材３の表面は、書名、著者名、出版社名、価格等の書籍に関する各種情報を記入する書籍情報記入部３ａと、販売管理用の機械読み取りコードを記入する機械読み取りコード記入部３ｂとに、ほぼ二分されている。
【０００８】
図３に示すように、基材３の表面側には、基材３表面の書籍情報記入部３ａと機械読み取りコード記入部３ｂとに印字するための感熱発色剤層４と、剥離層たる透視可能なシリコン層５を順次設ける一方、前記基材３の裏面側には、再剥離、再接着可能な粘着剤を塗布してなる粘着層６を設けている。そして、図１に示すように、連続状のスリップ１は、前記シリコン層５と前記粘着層６とが接触するようにして、ロール状に巻回されている。
【０００９】
図１に示すように、スリップ１は、当初白紙状態にあるもので、書籍情報記入部３ａと機械読み取りコード記入部３ｂとには、何らの情報も記入されていない。これら各記入部３ａ，３ｂへの記入は、書籍販売取次店でスリップ１を単位毎に発行する際に、印字記入されるものである。
【００１０】
この印字記入は、前記書籍情報記入部３ａには、書名、著者名、出版社名、価格、注文冊数のほか、必要に応じて記入する注文者の氏名及び連絡先電話番号からなる書籍情報７を文字及び数字で印字し、前記機械読み取りコード記入部３ｂには、バーコードで表示した価格、分類コード、注文冊数を内容とする補助バーコード表示８と、ＩＳＢＮ番号に対応する出版社名、書名を内容とする主バーコード表示９とからなる商品コード及び文字、数字で表示した発注元書店を示す仕分けコード１０に加えて、発注日、受付日及び発注元書店名からなる発注情報１１を文字及び数字で印字する。
【００１１】
必要な情報が印字されたスリップ１は、切り用ミシン目２を破断し、裏面側に粘着層６を備えたラベル状の単位スリップ１ａとして、印字内容に対応する書籍の裏表紙等に貼付して、発注元の書店へと送られるものである。単位スリップ１ａは書籍に全面的に貼付されているので、客が書店で書籍のページを開いても脱落する虞はなく、また、破損する虞もない。
【００１２】
次に、書籍販売取次店でスリップ１を単位毎に発行して行う書籍の販売管理方法について、図４及び図５に基づき説明する。なお、通常この方法では、多数の書籍について同時、並列的に処理するのであるが、説明の便宜上、１冊の書籍を対象として行う。書店では、書籍を売り上げると、この書籍の裏表紙等の適所に貼付されている単位スリップ１ａを剥離し、この単位スリップ１ａを書籍販売取次店へ郵送やＦＡＸ送信により送付する。
【００１３】
単位スリップ１ａが送付された書籍販売取次店では、発注元書店、出版社名、書名、価格、注文冊数、注文メモ等の発注データを、商品コード８，９及び仕分けコード１０を機械的に読み取ったり、書籍情報７に基づいた手作業により主制御手段たるホストコンピュータ２１に入力する（ステップ１０１）。
【００１４】
続いて、この入力した発注データに基づいて対象となる書籍の在庫の有無を判別し、在庫品がない場合には出版元から取り寄せて、書籍（図示せず）を搬送ライン２２へ投入する（ステップ１０２）。この搬送ライン２２では、ホストコンピュータ２１からの発注データを受けるとともに、その制御をうけて、所定の動作を行う端末制御手段たるデータ管理端末装置２３と制御端末装置２４によって、発送先別仕分け前段階までの作業を行うもので、この搬送ランイ２２に沿って、検索用バーコードリーダ２５と、ラベル貼付装置２６と、照合用バーコードリーダ２７が順次配置されている。
【００１５】
搬送ライン２２で搬送された書籍は、その裏表紙にバーコードで表示したＩＳＢＮ番号を含む商品コードを検索用バーコードリーダ２５で読み取られ、この商品コードに対応する発注データがデータ管理端末装置２３で検索されて、制御端末装置２４に連動する感熱プリンタ（図示せず）により、ロール状の連続する図１状態のスリップ１から引き出された単位スリップ１ａの書籍情報記入部３ａと機械読み取りコード記入部３ｂに、それぞれ所定の情報７，８，９，１０，１１を印字記入し、切り用ミシン目２を切断して、単位スリップ１ａを発行する（ステップ１０３）。
【００１６】
発行した単位スリップ１ａは、ラベル貼付装置２６に供給し、搬送されてきた対応する書籍の裏表紙に、書籍に表示した商品コードを被覆しない位置に粘着層６によって貼付する（ステップ１０４）。なお、発行した単位スリップ１ａを、切り用ミシン目２で切断することなく、連続状態のまま前記ラベル貼付装置２６に供給し、供給の後に切り用ミシン目２で切断して単位化し、貼付するよう構成してもよい。
【００１７】
単位スリップ１ａを貼付した書籍は、さらに搬送されて照合用バーコードリーダ２７に達すると、書籍と単位スリップ１ａに表示された各商品コード８，９が読み取られ、互いのＩＳＢＮ番号が照合される（ステップ１０５）。照合の結果一致していれば、書籍は仕分けライン（図示せず）に供給され、一致していない場合には、ラインから外される。
【００１８】
仕分けラインに供給された書籍は、仕分けコード１０に基づいて発注元の書店別に仕分けする一方、制御端末装置２４に連動する上述した感熱プリンタとは別のプリンタにより、配送票を発行し、同一発注元に発送すべき他の書籍とともに梱包して、発注元の書店に向けて発送する（ステップ１０６）。発送先の書店が所定の端末装置を備えている場合には、配送票のデータを書籍販売取次店から発送先の書店に伝送し、発送先の書店では受信したデータに基づいて着荷の確認を行うことができる。
【００１９】
なお、本発明は上述した実施形態に限定されるものではなく、例えば、商品コード８，９は、国際規格化されたＩＳＢＮ番号を利用するほか、発注する書籍とあらかじめ対応づけた連続番号のようなものでもよい。また、書店から書籍販売取次店に対する発注データは、書籍販売取次店のホストコンピュータに伝送してもよいものである。
【００２０】
さらに、機械読み取り用コード記入部３ｂに記入する内容は、バーコードで表示した価格、分類コード、注文冊数を内容とする補助バーコード表示８と、ＩＳＢＮ番号に対応する出版社名、書名を内容とする主バーコード表示９とからなる商品コード及び発注元書店を示す仕分けコード１０並びに発注日、受付日及び発注元書店名からなる発注情報１１に限定されない。
【００２１】
【発明の効果】
以上詳細に説明したところで明らかなように、本願の請求項１の発明によれば、書籍に貼付したスリップに表示した機械読み取り用コードに基づいて、効率的でミスのない書籍の販売管理を行うことができるという効果を奏する。
【図面の簡単な説明】
【図１】  本発明に使用するロール状に巻回された連続状のスリップを示す概略的な斜視図。
【図２】  同じく印字後の単位スリップを示す概略的な平面図。
【図３】  図２のＡ−Ａ線断面図。
【図４】  本発明に係る書籍販売取次店での販売管理を行う装置の連係関係を示す概略的な制御系統図。
【図５】  同じく書籍販売取次店でのスリップを使った販売管理方法を示すフロー図。
【符号の説明】
１      スリップ
１ａ      単位スリップ
２      切り用ミシン目
３      基材
３ａ      書籍情報記入部
３ｂ      機械読み取り情報記入部
４      感熱発色剤層
５      シリコン層
６      粘着層
７      書籍情報
８      補助バーコード表示
９      主バーコード表示
１０      仕分けコード
１１      発注情報
２１      ホストコンピュータ
２２      搬送ライン
２３      データ管理端末装置
２４      制御端末装置
２５      検索用バーコードリーダ
２６      ラベル貼付装置
２７      照合用バーコードリーダ
【図１】
0003645373.tif 000002
【図２】
0003645373.tif 000003
【図３】
0003645373.tif 000004
【図４】
0003645373.tif 000005
【図５】
0003645373.tif 000006